(57)【要約】【課題】着脱可能で後付もできるダクトカバー及びその取付方法を提供する。【解決手段】カバー本体３１を上下面及び室側壁ｃ１と相対する面を開放した平面視形状に形成し、該カバー本体３１をフード２の天板２ａに載せ且つ室壁Ｃに室内から着脱可能に取付て、配管施工されている排気ダクト３を収容するようにカバー本体３１を載置して後付け可能で、必要時に外し、排気ダクト３やその接続部、更にはフード２上の送風機ユニット４等を保守点検可能にする。【選択図】  図１
2004205178.tif 000002
【特許請求の範囲】
【請求項１】
フードの天板上に露出する排気ダクトのカバーであって、カバー本体を上下面及び室側壁に相対する面を開放する平面視形状に形成し、該カバー本体をフードの天板に載せ且つ室壁に室内から着脱可能に取付ていることを特徴とするダクトカバー。
【請求項２】
前記着脱手段が、室壁に設けた係合部であり、該係合部にカバー本体の対向する側面部分を室内から係脱可能に係合させていることを特徴とする請求項１記載の特徴とするダクトカバー
【請求項３】
前記フードの天板にカバー本体の移動防止手段を設けていることを特徴とする請求項１または２記載のダクトカバー。
【請求項４】
前記移動防止手段がカバー本体下端の落とし込み凹部であることを特徴とする請求項３記載のダクトカバー。
【請求項５】
上下面及び室側壁に相対する面を開放する平面視形状の下カバーと上カバーとからカバー本体を構成し、下カバーに対して上カバーが内嵌または外嵌されてその上カバーを昇降動可能とする構成とし、フード設置後にフードの天板に形成されている落とし込み凹部に前記下カバーの下端を移動不能に載置し、下カバーに対する上カバーのオーバーラップ量を可変させ、その可変状態で上カバーの対向する側面部分を室壁に設けた係合部に室内から係脱可能に係合させることを特徴とするダクトカバーの取付方法。
【発明の詳細な説明】
【０００１】
【発明の属する技術分野】
本発明は、レンジフードファンの排気ダクトを室内から視認不能に隠蔽するダクトカバー及びその取付方法に関するものである。
【０００２】
【従来の技術】
従来、レンジフードファンのダクトカバーには、フードの天板に固定される下部カバーと、その下部カバーに外嵌されて昇降動し室天井に固定する上部カバーとで構成したものがある（例えば、特許文献１参照。）。
【０００３】
【特許文献１】
実公平７−１８９１２号公報（第１頁、第１図〜第３図）
【０００４】
【発明が解決しようとする課題】
しかしながら、前記先行技術では、下部カバーがフードの天板、上部カバーが室天井に各々固定されるため、取り外しができない。そのため、排気ダクトやその接続部、下部カバー内に収容されるフード天板上の送風機ユニット等を保守点検できない。
また、下部カバー、上部カバーが共に筒状を呈しているため、フードの設置及び排気ダクトの配管施工工事と併行して両カバーを組付ける必要が生じ、後付けできない。そのため、ダクトカバーの組付作業も非常に面倒であった。
【０００５】
本発明は上記従来事情に鑑みてなされたもので、その目的とする処は、着脱可能で後付もできるダクトカバー及びその取付方法を提供することにある。
【０００６】
【課題を解決するための手段】
上記目的を解決するために講じた技術的手段は、フードの天板上に露出する排気ダクトのカバーであって、カバー本体を上下面及び室側壁に相対する面を開放する平面視形状に形成し、該カバー本体をフードの天板に載せ且つ室壁に室内から着脱可能に取付ていることを特徴とするダクトカバーである（請求項１）。
このカバー本体は、長さが可変しないタイプ、下カバーに対して上カバーを昇降動可能に嵌合して長さを可変するタイプを包含するものである。
また、カバー本体の前記平面視形状とは、コの字状、略コの字状、更には対向する1対の側面間の連絡面を湾曲面等、平面ではない面で連絡した平面視形状を包含するものである。
そして、着脱可能な具体的な構成としては、カバー本体（長さが可変しないタイプ）や上カバーのその対向する側面の開放側縁から内向きフランジを折曲形成し、その内向きフランジ上端域部分を室天井との間に確保されたスペースを利用して室側壁に着脱可能にネジ止めする。室天井や室側壁に、対向する側面の開放上縁から折曲した内向きフランジが上方から引っ掛かる係合部を設け、上カバーを所定よりも若干高い高さとなるように上昇させてからフードの天板に載置し、しかる後、その自重で上カバーを下降させて内向きフランジをその係合部を引っ掛けて係合させる。カバー本体（長さが可変しないタイプ）や上カバーのその対向する側面の開放側縁部分を室天井や室側壁に設けた係合部に室内から弾性的に係脱可能に係合させる（請求項２）。等がその例として挙げられる。尚、下カバーに対して昇降動可能な上カバーの対向する側面の開放側縁を係合部に室内から弾性的に係合する構成の場合には、係合力で上カバーが自重落下しないようにする。
【０００７】
上記手段では、配管施工されている排気ダクトを収容するようにカバー本体を載置し、該カバー本体を室壁に着脱可能に後付けする。
そして、必要時に外し、排気ダクトやその接続部、更にはフード上の送風機ユニット等を保守点検する。
【０００８】
その上、フードの天板にカバー本体の移動防止手段を設けていると更に好適なものである（請求項３）。
【０００９】
上記手段では、カバー本体の下端が移動しないため、安定し、着脱手段部分に余分な負荷を掛けない。
【００１０】
更に、移動防止手段がカバー本体下端の落とし込み凹部であると最適なものである（請求項４）。
【００１１】
上記手段では、カバー本体の下端がスッポリ納まり、簡単構造で安定させることができる。
【００１２】
方法にあっては、上下面及び室側壁に相対する面を開放した平面視形状の下カバーと上カバーとからカバー本体を構成し、下カバーに対して上カバーが内嵌または外嵌されてその上カバーを昇降動可能とする構成とし、フード設置後にフードの天板に形成されている落とし込み凹部に前記下カバーの下端を移動不能に載置し、下カバーに対する上カバーのオーバーラップ量を可変させて、その可変状態で上カバーの対向する側面部分を室壁に設けた係合部に室内から係脱可能に係合させることである（請求項５）。
【００１３】
上記手段では、下カバーを、設置後のフード天板に形成されている落とし込み凹部に移動不能に落とし込み状に載置し、上カバーを上昇させて室壁に設けた係合部に同カバーの対向する側面部分を室内から係合させる。これにより、ダクトカバーのセットは完了する。
そして、必要時にはカバー本体を係合部から抜き取り、落とし込み凹部から引き抜けば取り外せる。
前記係合部の具体的な構成は、前記請求項１で記載する具体構成を参照。
【００１４】
【発明の実施の形態】
次に、本発明の実施の形態を説明する。
図１〜図１１は本発明ダクトカバー及びその取付方法の第１の実施の形態を示し、図１２は同第２の実施の形態を、図１３及び図１４は同第３の実施の形態を各々示している。
まず、第１の実施の形態について説明すると、符号１はダクトカバー、２はフード、３は排気ダクト、４は送風機ユニットである。
【００１５】
ダクトカバー１は、下カバー１１とその下カバー１１に内嵌されて昇降動可能とする上カバー２１とからなるカバー本体３１と、止め金具４１とを備えている。
【００１６】
下カバー１１は、図４、図５等に示すように、上下面及び室側壁ｃ１と相対する面を開放した平面視コの字状を呈し、その開放下縁に内向きフランジ１１ａ、１１ａを折曲形成すると共に、開放側縁にコの字状の折込フランジ１１ｂ、１１ｂを内向きに折曲形成してなり、この内向きフランジ１１ａ、１１ａを含む下端部分がフード２の天板２ａに形成した落とし込み凹部２２に落とし込み状に載置されるようになっている。
【００１７】
上カバーは２１、同図４等に示すように、下カバー１１と同様に上下面及び室側壁ｃ１に相対する面を開放した平面視コの字状を呈し、その対向する両側面２１ｂ、２１ｂの開放上縁に内向きフランジ２１ａ、２１ａを折曲形成すると共に、同両側面２１ｂ、２１ｂの開放側縁にも内向きフランジ２１ｃ、２１ｃを折曲形成し、その開放側縁の内向きフランジ２１ｃ、２１ｃが前記折込フランジ１１ｂ、１１ｂに挿入されて下カバー１１に対して昇降動可能に案内されるようになっており、その開放側縁の上端部と開放上縁の開放側縁側の端部の所定範囲には内向きフランジ２１ａ、２１ａ、２１ｃ、２１ｃを設けず、開放上縁、開放側縁をそのまま露出させた無フランジ部になっている。
【００１８】
止め金具４１は、左右１対の係合部４１ａ、４１ａを連結部４１ｂで連結した構成になっている。
その１対の係合部４１ａ、４１ａは、前記上カバー２１における対向する内向きフランジ２１ａ、２１ａ間隔よりも若干広い間隔をもって垂直状に室壁Ｃ（室側壁ｃ１または室天井ｃ２）に取付られる１対のガイド面である（図３、図４、図５等参照）。
そして、この止め金具４１は、同図３〜図５等に示すように両ガイド面４１ａ、４１ａ間に亘って両ガイド面４１ａ、４１ａの一縁に取付部として前記連結部４１ｂを架設状に設けて同一体に形成され、各々のガイド面４１ａ、４１ａに傾斜面４１ｃを形成している。
【００１９】
前記傾斜面４１ｃは、図１、図６に示すように、前記連結部４１ｂを室壁である室側壁ｃ１に取付た際、前縁、下縁に相当する縁部分に、また図２、図９に示すように、同連結部４１ｂを室壁である室天井ｃ２に取付た際、下縁、後縁に相当する縁部分に各々配置されるように側面視Ｌ字状の形態をもって形成されている。
また、この傾斜面４１ｃ各々は、下側に向かう内向き傾斜状にして、上カバー２１を上昇させた際、同上カバー２１の対向する内向きフランジ２１ａ、２１ａを、上カバー２１の上昇力を受けて同上カバー２１を弾性的に外側に拡開変形させつつ上方に案内させる機能を有するものである（図７（ｂ）、図１０（ｂ）参照）。
【００２０】
連結部４１ｂは、図３に示すように、連結部４１ｂを室天井ｃ２に取り付けた際、両長縁に補強フランジ４１ｂ−１を折曲形成した扁平コの字状を呈し、ガイド面４１ａとの連設部分である折り曲げ部の前半部に一段低い切欠き４１ｂ−２を切欠形成している(図２、図３)。
【００２１】
前記止め金具４１は、室側壁ｃ１に取り付けられる場合には、図６に示すように下カバー１１における開放上縁の前記無フランジ部に対応する上下の位置関係になるように室天井ｃ２とのコーナー部分に連結部４１ｂをネジ１００止めされる。
また、その止め金具４１が、室天井ｃ２に取り付けられる場合には、図９に示すように下カバー１１における開放上縁の前記無フランジ部にガイド面４１ａの後半部が対応する上下の位置関係になるように室側壁ｃ１とのコーナー部分に同様にネジ(図示せず)止めされる。
【００２２】
フード２は、図１、図２に示すように、下方を開放した扁平箱状を呈してなり、一段低い凹窪部１２底に係脱可能に係合したグリスフィルター３２のその下方に４縁との間に吸引空間５２を確保する整流板４２を配設し、その整流板４２の後方に遠隔操作用の受光ボックス６２を設けた構成になっている。
【００２３】
また、そのフード２はその天板２ａの所定範囲に開口５を開設し、その開口５に連絡口１４を連通させて同天板２ａ上に送風機ユニット４を設置して、前記グリスフィルター３２で油脂分等が吸着除去された廃ガスを送風機ユニット４に接続される排気ダクト３から室外に排気するようになっている。
【００２４】
前記送風機ユニット４は、前記連絡口１４を下面に開口し、上面に排気ダクト３の接続筒３４を突設したユニットボックス２４内にケーシング４４と共にシロッコファン５４を内蔵し、前面を開放可能な蓋体（図示せず）で閉蓋している。
【００２５】
前記フード２の天板２ａには、図１、図２、図４に示すように、送風機ユニット４よりも一回り大きな範囲に平面視逆向きコの字状をもって移動防止手段として前記落とし込み凹部２２を凹設してある。
【００２６】
以上のように構成されているダクトカバーの取付方法は、フード２を設置し、排気ダクト３の配管工事後に、フード２の天板２ａに形成されている落とし込み凹部２２にカバー本体３１の下カバー１１の下端を落とし込んで移動不能に載置し（図４、図５）、上カバー２１を引き上げて、室側壁ｃ１に取付けられている止め金具４１の1対のガイド面４１ａ、４１ａの下縁に形成されている傾斜面４１ｃ、４１ｃで対向する内向きフランジ２１ａ、２１ａの後端部分を案内させつつ同上カバー２１を弾性的に拡開変形させて上昇させ、ガイド面４１ａ、４１ａを通過した時点で上カバー２１が復元して内向きフランジ２１ａ、２１ａをガイド面４１ａ、４１ａ各々の上縁に引っ掛かるように係合させる（図６、図７（ａ）（ｂ）（ｃ）、図８）。
これによって上カバー２１は下カバー１１に対するオーバーラップ量を可変して、室天井ｃ２まで上昇した高さ位置で排気ダクト３及び送風機ユニット４を室内から隠蔽した状態で支持される。
室天井ｃ２に前記止め金具４１が取付けられている場合には、同様に上カバー２１を引き上げて、1対のガイド面４１ａ、４１ａの下縁に形成されている傾斜面４１ｃ、４１ｃで対向する内向きフランジ２１ａ、２１ａの後端部分を案内させつつ同上カバー２１を弾性的に拡開変形させて同上カバー２１を上昇させ、その内向きにフランジ２１ａ、２１ａの後端部分をガイド面４１ａ、４１ａの前記切欠き４１ｂ−２によって一段低くなった上縁部分に引っ掛かるように係合させる（図９、図１０（ａ）（ｂ）（ｃ）、図１１）。
【００２７】
この係合状態の止め金具４１は、室内から視認不能に覆われ、内装的美観を損なうことはない。
そして、必要時にダクトカバー１を取り外す時には、手前に引き出しながら落とし込み凹部２２から抜き取れば良いものである。
また、係合状態をより強くするために、ガイド面４１ａ、４１ａと上カバー２１の側面２１ｂ、２１ｂとをネジ１００止めするのも良いものである（図７（ｃ）、図１０（ｃ））。
尚、室側壁ｃ１の中途高さに止め金具４１を取付けて、少なくとも室側壁ｃ１から室外に向けて配管される排気ダクト３を覆うものであっても良いものである。
【００２８】
次に図１２に示す第２の実施の形態を説明すると、この実施の形態は、前記下カバー１１に対して上カバー２１を昇降動可能に嵌合させて構成したカバー本体３１のその下カバー１１の下端をフード天板２ａに形成した落とし込み凹部（図示せず）に移動不能に載置し、上カバー２１を、排気ダクト３を隠蔽するように所定高さ引き上げ、室天井ｃ２との間に確保した空間を利用して上カバー２１の開放側縁に折曲形成されている前記内向きフランジ２１ｃ、２１ｃ上端部分をネジ１００止めして着脱可能にするものである。
【００２９】
この実施の形態ではそのネジ１００を外せば、容易にダクトカバー１を抜き取ることができるし、止め金具４１を使用しないため、ローコストである。
【００３０】
次に図１３及び図１４に示す第３の実施の形態を説明すると、この実施の形態は、長さが可変しない定尺寸法のカバー本体５１の下端をフード天板２ａに形成した落とし込み凹部（図示せず）に移動不能に載置し、カバー本体５１の開放側縁に折曲形成した内向きフランジ５１ａ、５１ａを、室側壁ｃ１の中途高さに取付けた係合部４１ｄに係脱可能に係合するものである。
【００３１】
係合部４１ｄは、前記内向きフランジ５１ａ、５１ａが弾性的に係合するものであれば、どのような構造のものでも良く、例えば室側壁ｃ１に取付ける取付部４１ｄ−１に弾性係合片４１ｄ−２を片持ち状に前方に向けて延設し、その弾性係合片４１ｄ−２先端に内向きフランジ５１ａ、５１ａを室側壁ｃ１方向にガイドするガイド傾斜面４１ｄ−３を設け、室内方向前方側から室側壁ｃ１方向への人為的な押し込み力でそのガイド傾斜面４１ｄ−３で案内される内向きフランジ５１ａ、５１ａが係合溝４１ｄ−４に係合する構成を挙げることができる（図１４（ａ）（ｂ）（ｃ））。
この実施の形態では、係合部４１ｄの弾性係合力に抗して手前に引き抜けばダクトカバー１を簡単に取り外すことができる（図１４（ｃ））。
尚、カバー本体を、下カバーと、その下カバーに昇降動可能に嵌合する上カバーとで構成し、その上カバーをこの実施の形態の係合部で係脱可能に係合させること自由なものである。
【００３２】
本発明はフードの天板上に送風機ボックスが設置されているレンジフードファンに限定されるものではなく、フード内の送風機が内蔵されるタイプのレンジフードファンのそのダクトカバーにも等しく有用であるし、その排気ダクトも室天井配管タイプでも等しく使用できるものである。
【００３３】
【発明の効果】
本発明は以上のように、カバー本体を上下面及び室側壁に相対する面を開放する平面視形状に形成し、該カバー本体をフードの天板に載せ且つ室壁に室内から着脱可能に取付ているから、必要時に取り外し且つ後付けもできるダクトカバーを提供することができる。
従って、排気ダクトやその接続部、カバー本体内に収容されるフード天板上の送風機ユニット等を保守点検することができる。
また、配管後の排気ダクトを隠すように後付けできるため、フードの設置及び排気ダクトの配管施工工事と併行して組付ける必要性を無くし、ダクトカバーの組付作業が非常に簡単である。
【００３４】
しかも、フードの天板にカバー本体の移動防止手段を設けていると、カバー本体の下端が安定するので、着脱手段に負担を掛けず耐久性が向上し、しかもその移動防止手段がカバー本体下端の落とし込み凹部の場合には、構造簡単でカバー本体の下端を安定させることができる。
【００３５】
また、方法にあっては、下カバーを、設置後のフード天板の落とし込み凹部に移動不能に落とし込み状に収容し、上カバーを上昇させて室壁に設けた係合部に同カバーの対向する側面部分を室内から係合させるようにしているから、組付けが非常に簡単であるばかりでなく、必要時にはカバー本体を係合部から抜き、落とし込み凹部から引き抜けば良く、取り外しも簡単である。
【図面の簡単な説明】
【図１】第１の実施の形態の側面断面図で、室側壁に取付けた止め金具を使用してダクトカバーを取り付けた状態を示す。
【図２】同側面断面図で、室天井に取付けた止め金具を使用してダクトカバーを取り付けた状態を示す。
【図３】止め金具の拡大斜視図。
【図４】カバー本体とフード、排気ダクトの関係を示す分解斜視図。
【図５】上カバーを上昇させる前の状態を示す斜視図。
【図６】室側壁に取り付けた止め金具の係合部（ガイド面）と、上カバーとの位置関係を示す拡大斜視図で要部を示す。
【図７】ダクトカバーの取付状態を示す要部を示す正面拡大断面図。（ａ）は、上カバーの内向きフランジを係合部（ガイド面）の傾斜面で案内する前の状態を示す。（ｂ）は、その傾斜面で上カバーを弾性的に拡開変形させて内向きフランジを上昇させている状態を示す。（ｃ）は、上カバーが復元し、内向きフランジが係合部（ガイド面）の上縁に引っ掛かかる状態を示す。
【図８】上カバーがその止め金具に引っ掛かっている状態を示す要部の拡大斜視図。
【図９】室天井に取付けた止め金具の係合部（ガイド面）と、上カバーとの位置関係を示す拡大斜視図で要部を示す。
【図１０】ダクトカバーの取付状態を示す要部を示す正面拡大断面図。（ａ）は、上カバーの内向きフランジを係合部（ガイド面）の傾斜面で案内する前の状態を示す。（ｂ）は、その傾斜面で上カバーを弾性的に拡開変形させて内向きフランジを上昇させている状態を示す。（ｃ）は、上カバーが復元し、内向きフランジが係合部（ガイド面）の上縁に引っ掛かかる状態を示す。
【図１１】上カバーがその止め金具に引っ掛かっている状態を示す要部の拡大斜視図。
【図１２】第２の実施の形態の側面断面図で、室側壁にダクトカバーを着脱可能にネジ止めしている状態を示す。
【図１３】第３の実施の形態の側面断面図で、室側壁に取付けた係合部にダクトカバーを係脱可能に係合させている状態を示す。
【図１４】ダクトカバーの取付状態を示す要部を示す正面拡大断面図。（ａ）は、上カバーの内向きフランジを係合部に係合する前の状態を示す。（ｂ）は、内向きフランジが乗り越え部を乗り越えようとする状態を示す。（ｃ）は、その内向きフランジが係合部に係合している状態を示す。（ｄ）は、その内向きフランジを弾性を利用して引き抜いている状態を示す。
【符号の説明】
１：ダクトカバー                ２：フード
２ａ：天板                      ３１、５１：カバー本体
Ｃ：室壁                        ｃ２：室天井
ｃ１：室側壁                    ４１ａ、４１ｄ：係合部
１１：下カバー                  ４１ｃ：傾斜面
２１：上カバー                  ２２：移動防止手段（落とし込み凹部）
２１ｃ、５１ａ：内向きフランジ  ４１：止め金具
４１ｂ：連結部
【図１】
2004205178.tif 000003
【図２】
2004205178.tif 000004
【図３】
2004205178.tif 000005
【図４】
2004205178.tif 000006
【図５】
2004205178.tif 000007
【図６】
2004205178.tif 000008
【図７】
2004205178.tif 000009
【図８】
2004205178.tif 000010
【図９】
2004205178.tif 000011
【図１０】
2004205178.tif 000012
【図１１】
2004205178.tif 000013
【図１２】
2004205178.tif 000014
【図１３】
2004205178.tif 000015
【図１４】
2004205178.tif 000016